(57)【要約】【課題】主に、建物ユニットに対する外壁材の取付けの手間を削減し得るようにする。【解決手段】建物に外壁材２を取付けるのに用いられる外壁取付金具４に関する。  複数の外壁材２が連結部材８を用いて一体的に連結固定されて成る連結外壁９の背面に係止保持されると共に、連結外壁９と建物との間に介在される金具本体を備え、  この金具本体が、連結外壁９から側方へ突出して、建物に固定可能な固定部２６を有し、  固定部２６に、連結外壁９を構成する外壁材２の側面を位置規制可能な規制部２５が設けられている。【選択図】図２
2018119265.tif 000002
【特許請求の範囲】
【請求項１】
建物に外壁材を取付けるのに用いられる外壁取付金具であって、
複数の前記外壁材が連結部材を用いて一体的に連結固定されて成る連結外壁の背面に係止保持されると共に、前記連結外壁と前記建物との間に介在される金具本体を備え、
該金具本体が、前記連結外壁から側方へ突出して、前記建物に固定可能な固定部を有し、
前記固定部に、前記連結外壁を構成する外壁材の側面を位置規制可能な規制部が設けられていることを特徴とする外壁取付金具。
【請求項２】
請求項１に記載の外壁取付金具であって、
前記金具本体が、前記建物に当接可能な当接面と、前記外壁材の背面に当接保持可能な外壁保持部と、該外壁保持部と前記当接面とを連結する連結部と、前記外壁材の上縁部または下縁部に係止可能な係止部と、を有していることを特徴とする外壁取付金具。
【請求項３】
請求項１または請求項２に記載の外壁取付金具であって、
前記外壁材が、外壁材同士の継ぎ目部分に重ね合わせ用の段差部を有しており、
前記規制部が、前記段差部の段差面までの高さと同じかそれよりも短い幅寸法を有していることを特徴とする外壁取付金具。
【請求項４】
請求項１ないし請求項３のいずれか１項に記載の外壁取付金具であって、
前記固定部が、前記金具本体とは別の平面視Ｌ字状をした部材によって構成され、
該平面視Ｌ字状をした部材は、前記固定部が前記建物に対し前記外壁材の側面の位置で前記外壁材と面直な方向へ固定可能となるように、前記金具本体に一体に取付けられていることを特徴とする外壁取付金具。
【発明の詳細な説明】
【技術分野】
【０００１】
この発明は、外壁取付金具に関するものである。
【背景技術】
【０００２】
例えば、戸建住宅などの建物には、予め工場で製造した複数の建物ユニットを建築現場へ輸送して、建築現場で組み合わせることで構築できるようにしたユニット建物などがある。
【０００３】
上記した建物ユニットは、外壁材が取付けられた状態で工場から出荷される。建物ユニットに対する外壁材の取付けには、例えば、特許文献１や特許文献２に開示されたような外壁取付金具が用いられる。
【先行技術文献】
【特許文献】
【０００４】
【特許文献１】特開２０１６−１０４９５３号公報
【特許文献２】特開２０１６−１２５２３０号公報
【発明の概要】
【発明が解決しようとする課題】
【０００５】
建物ユニットでは、複数枚の外壁材を上記特許文献１や特許文献２の外壁取付金具などを用いて一枚ずつ取付けて行くようにしていたので、建物ユニットに対する外壁材の取付けに手間などがかかっていた。
【０００６】
そこで、本発明は、主に、上記した問題点を解決することを目的としている。
【課題を解決するための手段】
【０００７】
上記課題を解決するために、本発明は、
建物に外壁材を取付けるのに用いられる外壁取付金具であって、
複数の前記外壁材が連結部材を用いて一体的に連結固定されて成る連結外壁の背面に係止保持されると共に、前記連結外壁と前記建物との間に介在される金具本体を備え、
該金具本体が、前記連結外壁から側方へ突出して、前記建物に固定可能な固定部を有し、
前記固定部に、前記連結外壁を構成する外壁材の側面を位置規制可能な規制部が設けられていることを特徴とする。
【発明の効果】
【０００８】
本発明によれば、上記構成によって、建物ユニットに対する外壁材の取付けの手間を削減することなどができる。
【図面の簡単な説明】
【０００９】
【図１】外壁材が設置された建物ユニット（建物）をトラックで輸送する状態を示す図である。
【図２】この実施例にかかる外壁取付金具の斜視図である。
【図３Ａ】図２の外壁取付金具の正面図である。
【図３Ｂ】図３Ａの外壁取付金具のＡ−Ａ線に沿った断面図である。
【図３Ｃ】図２の外壁取付金具の平面図である。
【図４】本実施の形態にかかる外壁取付金具によって外壁材が上下に取付けられた建物ユニットの部分的な側面図である。
【図５】複数の外壁を用いて連結外壁を構成する様子を示す斜視図である。
【図６Ａ】図５の連結外壁を長辺部側から見た側面図である。
【図６Ｂ】図５の連結外壁を短辺部側から見た側面図である。
【図６Ｃ】図５の連結外壁の平面図である。
【図７】建物ユニットのコーナー部に連結外壁を設置する様子を示す部分拡大斜視図である。
【図８】図７の側面図である。
【図９】最上部の外壁材を固定する様子を示す建物ユニットのコーナー部の部分拡大斜視図である。
【図１０】最上部の外壁材を固定するための外壁取付金具の斜視図である。
【図１１Ａ】この実施例にかかる外壁取付金具が取付けられた外壁材間の目地部にガスケットを取付ける様子を示す建物ユニットのコーナー部の部分拡大平面図である。
【図１１Ｂ】図１１Ａの拡大図である。
【図１１Ｃ】ガスケットを部分的に切断する様子を示す斜視図である。
【図１２】外壁材に横ズレが生じた建物ユニットの側面図である。
【図１３】外壁材の横ズレを調整する様子を示した建物ユニットの側面図である。
【発明を実施するための形態】
【００１０】
以下、本実施の形態を、図面を用いて詳細に説明する。
図１〜図１３は、この実施の形態を説明するためのものである。
【実施例１】
【００１１】
＜構成＞以下、構成について説明する。
【００１２】
戸建住宅などの建物には、図１に示すように、予め工場で製造した建物ユニット１を建築現場へ輸送して、建築現場で複数の建物ユニット１を組み合わせることで構築できるようにしたユニット建物などが存在している。
【００１３】
上記した建物ユニット１は、外壁材２が取付けられた状態で工場から出荷される。建物ユニット１の輸送には、トラックなどの車両３が用いられる。
【００１４】
ここで、建物ユニット１には、木質系のものと鉄骨系のものとが存在している。木質系の建物ユニット１は、床パネルと、天井パネルと壁パネルとを組み合わせた直方体状のユニット本体を有している。
【００１５】
また、鉄骨系の建物ユニット１は、４本の金属製の柱の上端部間を４本の金属製の天井梁で矩形状に連結すると共に、金属製の４本の金属製の柱の下端部間を４本の金属製の床梁で矩形状に連結して成るボックスラーメン構造のユニットフレームを有する直方体状のユニット本体を備えている。
【００１６】
建物ユニット１に対する外壁材２の取付けには、各種の壁取付金具が用いられる。この実施例では、主に、図２（図３Ａ〜図３Ｃも併せて参照）に示すような外壁取付金具４やその他の外壁取付金具などが用いられる。外壁取付金具４などについては、後述する。
【００１７】
外壁材２は、図４に示すように、建物ユニット１（建物）に対し、上下方向６に多段状に設置される。外壁材２は、建物ユニット１のユニット本体に設けられた下地材７（下地壁材７ａや下地枠材７ｂなど）に対して図２に示すような外壁取付金具４などを用いて取付けられる。
【００１８】
そして、以上のような基本的な構成に対し、この実施例は、以下のような構成を備えている。
【００１９】
（１Ａ）建物（建物ユニット１の下地材７）に外壁材２を取付けるのに用いられる外壁取付金具４が、
図５（図６Ａ〜図６Ｃも併せて参照）に示すように、複数の外壁材２が連結部材８を用いて一体的に連結固定されて成る連結外壁９の背面に係止保持されると共に、連結外壁９と建物との間に介在される金具本体を備えている。
この金具本体が、連結外壁９から側方へ突出して、建物に固定する固定部２６を有している。
【００２０】
ここで、連結部材８で連結される外壁材２は、例えば、建物ユニット１のコーナー部などに位置する小型の外壁材２（コーナー外壁材２Ａ）などとされる。コーナー外壁材２Ａは、互いに直交する短辺部２ａ（妻部）と長辺部２ｂ（桁部）とを一体化した平面視ほぼＬ字状のものとされている。
【００２１】
連結部材８は、外壁材２の複数枚分の長さを有して上下方向６へ延びる木製の胴縁などとされる。連結部材８は、例えば、コーナー外壁材２Ａの長辺部２ｂの背面に対して、変成シリコーンなどのコーキング剤８ａ（図５参照）や接着材などによってコーキングまたは接着されると共に、背面側から複数の箇所をフィニッシュネイルなどの固定具８ｂ（図６Ｃ参照）を用いて固定されている。
【００２２】
変成シリコーンなどのコーキング剤８ａや接着材は、連結部材８のコーナー外壁材２Ａに対する接触面の少なくとも周縁部に対して塗布するようにする。フィニッシュネイルなどの固定具８ｂによる固定は、各コーナー外壁材２Ａにつき上下方向６に間隔を有して３箇所程度以上とする。フィニッシュネイルなどの固定具８ｂは、外壁材２の表面側に出ないように取付ける。
【００２３】
連結外壁９は、コーナー外壁材２Ａを上下方向６に複数段に連結したものとされる。この場合、連結外壁９は、コーナー外壁材２Ａを３段連結するものとしている。但し、コーナー外壁材２Ａの連結段数は、上記に限るものではない。
【００２４】
連結外壁９には、必要に応じて、コーナー外壁材２Ａの長辺部２ｂ（桁部）の位置に、予め建物に対して釘やビスなどの固定具１６ａ（図７参照）で固定するための下穴９ａ（図６Ａ参照）を設けておくようにしても良い。この下穴９ａは、各コーナー外壁材２Ａにつき（連結部材８に沿って）上下方向６に間隔を有して２箇所程度設けるようにする。なお、下穴９ａの個数は最小限とするのが好ましい。
【００２５】
外壁取付金具４の金具本体は、例えば、ステンレス鋼板やメッキ鋼板などの金属製の平板材によって構成される。金具本体は、連結外壁９における上下の外壁材２（コーナー外壁材２Ａ）の間の位置に設置される。この場合には、上下のコーナー外壁材２Ａの短辺部２ａの間の位置に２個設置されているが、構造的には、上下のコーナー外壁材２Ａの長辺部２ｂの間の位置や、短辺部２ａと長辺部２ｂの両方の間の位置に設置するようにしても良い。金具本体はどのようなものとしても良いが、具体的な金具本体については後述する。
【００２６】
外壁取付金具４の固定部２６は、釘やビスなどの固定具１６ｂ（図８参照）によって（連結部材８の外側の位置で）建物に固定できるものであればどのようなものであっても良い。例えば、固定部２６は、金具本体に一体に設けられるものであっても良いし、または、金具本体とは別体のものとしても良い。具体的な固定部２６については後述する。固定部２６には、釘やビスなどの固定具１６ｂによって建物に固定するためのネジ孔２６ａ（図２参照）が設けられる。この場合、ネジ孔２６ａは、上下方向６に間隔を有して２個設けられている。
【００２７】
（１Ｂ）好ましくは、図４および図２に示すように、固定部２６に、連結外壁９を構成する外壁材２の側面２２を位置規制可能な規制部２５を設けるようにする。
【００２８】
ここで、外壁材２の側面２２は、（建物に設置された状態の）外壁材２の左右端に位置して上下方向６へ延びる縁部（左右の端縁部）のことである。コーナー外壁材２Ａの場合には、コーナー部を除いた短辺部２ａおよび長辺部２ｂの端縁部となる。なお、外壁材２の側面２２は、水平方向または左右方向に隣接する外壁材２間の目地部を構成するものとなる。
【００２９】
規制部２５は、外壁材２の側面２２に当接されることで、外壁材２の側面２２を水平方向または左右方向に位置規制する面である。規制部２５は、固定部２６と一体に設けられる。
【００３０】
そして、上記した規制部２５は、上記した外壁取付金具４における金具本体の一側部または他側部のみに取付けられる。そして、規制部２５を一側部に有する外壁取付金具４と、規制部２５を他側部に有する外壁取付金具４とは、セットにして外壁材２の左右の両側面２２の位置規制を適宜行わせるようにしても良いし、または、単独で用いて外壁材２の片側の側面２２の位置規制のみを行わせるようにしても良い。この場合には、コーナー外壁材２Ａの短辺部２ａ（妻部）の側面２２に対して単独で使用するようにしている。
【００３１】
規制部２５は、外壁材２の背面よりも外壁材２の表面側へ突出するものとされる。そして、この規制部２５により、金具本体は、外壁材２の側面２２の最適設置位置に配置されることになる。
【００３２】
（２）金具本体が、建物（建物ユニット１の下地材７）に当接可能な当接面１１と、外壁材２の背面に当接保持可能な外壁保持部１２と、この外壁保持部１２と当接面１１とを連結する連結部１３と、外壁材２の上縁部または下縁部に係止可能な係止部１４と、を有するものとしても良い。
【００３３】
ここで、外壁取付金具４は、図４に示すように、上下に位置する２枚の外壁材２を同時に取付けるものとなっている。
【００３４】
外壁取付金具４の金具本体は、１枚の平板材の両側部を、上下方向６へ延びる折線に沿ってほぼ垂直に２回内折りすることによって当接面１１の両側部に左右一対の連結部１３および外壁保持部１２をそれぞれ形成したものとされている。外壁取付金具４の金具本体は、上下方向６へ延びる幅中心線に対して左右対称な構造を有している。
【００３５】
当接面１１は、建物（建物ユニット１の下地材７）に当接可能な面を有しており、必要な場合には、建物に釘やビスなどの固定具で止めることができるようにするためのネジ孔１７を単数または複数設けるようにしても良い。また、ネジ孔１７の周囲には、固定具の挿入方向を案内する座１８（図３Ａ参照）などを設けるようにしても良い。
【００３６】
連結部１３は、建物（の下地材７）と外壁材２（の背面）との間に所要の通気隙間Ｓを形成するのに必要な幅を有するものとされている。
【００３７】
そして、係止部１４は、当接面１１の上端側または下端側を、水平方向または左右方向へ延びる折線に沿ってほぼ垂直に内折りすることによって形成されている。
【００３８】
具体的に、図２の外壁取付金具４では、係止部１４は、当接面１１の下端側から中間部までの部分を上方へほぼ垂直に切り起こすことで、当接面１１の上下方向６の中間部に位置するように形成されている。この係止部１４は、金具本体の幅方向の中央部に１箇所設けられている。
【００３９】
そして、外壁取付金具４では、下段の外壁材２の上縁部に係止部１４（の爪部１４ａ）を係止させると共に、外壁取付金具４の係止部１４（の爪部１４ｂ）に上段の外壁材２の下縁部を係止させるようにしている。
【００４０】
この際、係止部１４は、図５に示すように、ハンマーなどで外壁取付金具４を叩いてしっかり食い込ませるようにする。
【００４１】
（３）図４に示すように、外壁材２が、外壁材２同士の継ぎ目部分に重ね合わせ用の段差部４２を有している。
この場合に、規制部２５が、段差部４２の段差面４２ａまでの高さ４５と同じかそれよりも短い突出量４６を有しても良い（段差面４２ａまでの高さ４５＞規制部２５の突出量４６）。
【００４２】
ここで、外壁材２同士の継ぎ目部分は、主に、外壁材２の上縁部と下縁部との間などに設けられている。
【００４３】
重ね合わせ用の段差部４２は、外壁材２の上縁部の外側を切り欠いて設けた雄型（または凸型）のものと、外壁材２の下縁部の内側を切り欠いて設けた雌型（または凹型）のものとによる合決り部（あいじゃくりぶ）などとされている。
【００４４】
段差部４２の段差面４２ａまでの高さ４５は、外壁材２の背面から、段差面４２ａまでの距離のことである。規制部２５の突出量４６は、外壁材２の背面の位置から外壁材２の表面側への延び量のことである。
【００４５】
なお、図４に示すように、外壁材２の上縁部の雄型の段差部４２には、下り勾配の斜面が設けられている。また、外壁材２の下縁部の雌型の段差部４２には、上り勾配の斜面が設けられている。そして、上記したように、外壁取付金具４の係止部１４は、先端に設けた傾斜した爪部１４ａ，１４ｂで、これらの斜面を上下方向６に係止し得るようになっている。
【００４６】
そのために、図２の外壁取付金具４では、係止部１４が、上り勾配の斜面を当接面１１の全幅に亘って下側から係止する爪部１４ｂと、この爪部１４ｂから斜め下方へ切り起こされて下り勾配の斜面を上側から部分的に係止する左右の爪部１４ａと、を有している。
【００４７】
（４）図４、図２に仮想線で示すように、規制部２５（２５ａ）は、金具本体における、外壁材２の上端部の側面２２を係止可能な位置に設けられるようにしても良い。
【００４８】
ここで、外壁材２の上端部の側面２２を係止可能な位置は、外壁材２の上端部と対応する位置のことであり、金具本体の連結部１３における、係止部１４よりも下側となる位置のことである。
【００４９】
特に、図４（図２）のように上下の外壁材２を同時に取付けるようにした外壁取付金具４の場合、係止部１４よりも上側が上側の外壁材２の下端部に対応し、係止部１４よりも下側が下側の外壁材２の上端部に対応しているので、規制部２５は金具本体の低い位置に対し係止部１４を超えないような高さで取付けられることになる。
【００５０】
（５）図２に示すように、固定部２６は、少なくとも１つの角部３５が角取りされても良い（角取部３６）。
【００５１】
ここで、固定部２６は、規制部２５に接していない側の上下２つの角部３５を角取りすることができる。なお、規制部２５についても、固定部２６に接していない側の上下２つの角部３５を角取りすることもできる。
【００５２】
角取りは、角部３５を鈍らせることであり、角部３５を斜めに切り欠くことや丸めることなどが広く含まれる。この場合、規制部２５および固定部２６の全ての角部３５を丸めるようにしている。
【００５３】
（６）固定部２６は、金具本体とは別の平面視Ｌ字状をした部材２１によって構成されても良い。
そして、この平面視Ｌ字状をした部材２１は、固定部２６が建物に対し外壁材２の側面２２の位置で外壁材２と面直な方向へ固定可能となるように、金具本体に一体に取付けられても良い。
【００５４】
ここで、平面視Ｌ字状をした部材２１は、固定部２６と金具本体に対する取付部２４とを一体に設けたもの（アングル材）とされ、金具本体とは別のステンレス鋼板やメッキ鋼板などの金属製の平板材を上下方向６へ延びる折線に沿って曲げることによって構成される。
【００５５】
平面視Ｌ字状をした部材２１は、金具本体の連結部１３に面を重ね合わせた状態でリベットなどの取付具２３によって一体的に固定される。金具本体の連結部１３と規制部２５との間には、リベットなどの取付具２３で固定するための取付孔が設けられる。そして、上記した規制部２５は、取付部２４を外壁材２の表面側に延長することで取付部２４の先端側に設けることができる。
【００５６】
（７）以下、外壁取付構造について説明する。
この外壁取付構造は、複数の外壁材２を連結部材８を用いて一体的に連結固定して成る連結外壁９を上記した外壁取付金具４を用いて建物に取付けるようにしたものである。
この際、外壁取付金具４の金具本体が、連結外壁９の背面に係止保持された状態で、連結外壁９と建物との間に介在されるようにしている。
そして、外壁取付金具４に設けられた固定部２６によって、金具本体が建物に対し固定されるようにしている。
【００５７】
この際、固定部２６は、外壁材２の側面２２の位置（目地部の位置など）で建物に対し固定される。そして、固定部２６の固定方向は、外壁材２（コーナー外壁材２Ａの短辺部２ａ（妻部））と面直な方向とされる。
【００５８】
＜作用＞以下、この実施例の作用について説明する。
【００５９】
予め工場で製造した複数の建物ユニット１を建築現場へ輸送して、建築現場で組み合わせることでユニット建物を構築する。
【００６０】
上記した建物ユニット１は、外壁材２を取付けた状態にして工場から出荷する。この際、少なくとも、建物ユニット１の出隅となるコーナー部分に設置される平面視Ｌ字状をした小型の外壁材２（コーナー外壁材２Ａ）の上部に対し、図５に示すように（図６Ａ〜図６Ｃも併せて参照）、外壁取付金具４を係止させ、それを上下方向６に多段に配置した状態にして、上下の外壁材２の間を連結部材８にて連結し連結外壁９とする。そして、この連結外壁９に対し、必要に応じて、建物に固定するための下穴９ａなどを設けるようにする。この際、例えば、外壁取付金具４は、コーナー外壁材２Ａの短辺部２ａ（妻部）側に設置するようにし、連結部材８および下穴９ａはコーナー外壁材２Ａの長辺部２ｂ（桁部）側に設けるようにする。
【００６１】
次に、図７に示すように、建物ユニット１の出隅となるコーナー部分に連結外壁９を配置し、連結外壁９の上部の両側部を上記外壁取付金具４または上記とは別の外壁取付金具４０を用いて建物ユニット１に固定する。なお、上記とは別の外壁取付金具４０は、上記外壁取付金具４から平面視Ｌ字状をした部材２１を取外した金具本体だけのものなどとすることができる。
【００６２】
そして、連結外壁９の短辺部２ａ（妻部）側の中間部を上記した外壁取付金具４の固定部２６を用いて建物ユニット１（の目地部）に固定する（図８参照）。更に、連結外壁９の長辺部２ｂ（桁部）側の中間部については、予め設けた下穴９ａを用いて釘やビスなどの固定具１６ａで直接固定する。なお、これらの手順は順不同に行うことも可能である。
【００６３】
そして、連結外壁９が複数存在する場合には、上記と同様にして必要な分だけ下側の連結外壁９の上に上側の連結外壁９を取付けて行く。
【００６４】
最上部となった連結外壁９については、図９に示すように、連結外壁９の最上部の両側部を上記とは更に別の外壁取付金具５（図１０参照）を用いて建物ユニット１に固定する。この外壁取付金具５は、最上段となった外壁材２の上縁部に係止部１５（の爪部１５ａ）係止させた状態にして、当接面１１を建物ユニット１の下地材７にビスなどの固定具１６ｂで固定することによって、最上段の外壁材２の上縁部を建物ユニット１に保持し得るようにしたものとなっている。その他、外壁取付金具４と同じ機能を有する部分については、同じ符号を付すことによって説明を省略する。
【００６５】
更に、図１１Ａ、図１１Ｂに示すように、上記外壁材２とこれに隣接する外壁材２との間にできる目地部に対して、ガスケット３０を取付ける。固定部２６を固定するビスなどの固定具１６ｂの頭部がガスケット３０と干渉する場合には、図１１Ｃに示すようにヒレ部分を傷つけないようにガスケット３０を部分的に切断しても良い。
【００６６】
＜効果＞この実施例によれば、以下のような効果を得ることができる。
【００６７】
（効果１Ａ）複数の外壁材２を連結部材８で一体的に連結固定して連結外壁９にしている。これにより、複数の外壁材２を必要な長さに一本化することが可能となる。
【００６８】
また、複数の外壁材２を必要な長さに一本化して連結外壁９を作ることができるので、長尺物の外壁材２を用意する必要がなくなり、長尺物の外壁材２を作るための専用の型などを不要化して、製造コストの低減を図ることができる。
【００６９】
更に、複数の外壁材２を必要な長さに一本化して連結外壁９とすることにより、建物（建物ユニット１）に対して一度に外壁材２を取付けることが可能となるので、複数の外壁材２を個別に建物に取付ける場合と比べて、工数を削減することができる。
【００７０】
そして、外壁取付金具４は、連結外壁９と建物との間に金具本体を介在させた状態で連結外壁９の背面に係止保持させることができる。更に、固定部２６によって、連結外壁９の側方の位置で建物に固定することができる。よって、複数の外壁材２を連結部材８で一体的に連結固定して連結外壁９とした場合でも、連結外壁９を建物に支障なく固定することができ、また、連結外壁９の取付け作業を容易に行うことができる。
【００７１】
（効果１Ｂ）連結外壁９、または、連結外壁９を構成する外壁材２の側面２２を、固定部２６に設けられた規制部２５によって位置規制するようにしても良い。
【００７２】
これにより、先ず、複数の外壁材２を連結部材８で一体的に連結固定して連結外壁９とする際に、規制部２５を利用することで、各外壁材２を、上下方向６に隣接する外壁材２に対して位置ズレがない状態に設置することができ、連結外壁９を外壁材２が上下方向６に位置精度良く並んだものとすることができる。
【００７３】
そして、例えば、建物が、予め工場で製造した複数の建物ユニット１を建築現場へ輸送して、建築現場で組み合わせることによって構築するようにしたユニット建物などである場合に、建物ユニット１の輸送中に、輸送振動などで連結外壁９が建物ユニット１に対して横ズレ（図１２の矢印参照）するのを、規制部２５によって有効に防止することができる。
【００７４】
即ち、建物や建物ユニット１に対して連結外壁９を取付ける際には、遊びやガタ付きなどの発生が避けられないため、この遊びやガタ付きなどによって、輸送中に連結外壁９が横ズレを起こす可能性がある。これまでは、輸送中の外壁材２の横ズレを防止するために、例えば、外壁材２を建物に釘などで直接且つ強固に固定するなどしていたが、このようにすると、外壁材２に傷を付けることになるので好ましくない。よって、釘などによる固定は最小限に抑えしたい。
【００７５】
これに対し、上記した規制部２５や固定部２６を有する外壁取付金具４を用いるだけで、手間をかけずに外壁材２の遊びやガタ付きなどを抑制して横ズレを防止できるようになることから、連結外壁９の横ズレ防止のために、外壁材２を建物に釘などで直接且つ強固に固定する必要がなくなるので、外壁材２を傷を付けなくて済む、または、外壁材２の傷を最小限に抑えることができる。
【００７６】
よって、建物の外観品質を向上することができると共に、外壁材２を建物に釘などで直接固定した時にできる傷を補修する作業をなくしたり減らしたりすることや、外壁材２に傷を補修した痕などが残って性能（品質性能や外観性能など）が低下することを抑制または防止できる。
【００７７】
しかも、この規制部２５や固定部２６を有する外壁取付金具４を用いた場合には、連結外壁９を建物に釘などで直接且つ強固に固定しなくて済む、または、釘などによる固定を最小限に抑えることができるので、連結外壁９の取付け後や建物ユニット１の輸送後などに、必要に応じて、連結外壁９の微妙な位置調整を行うこと（例えば、図１３に示すように、連結外壁９をゴムハンマーなどで叩いて連結外壁９の位置をずらして横ズレを微調整すること）なども可能となる。
【００７８】
なお、図７は、連結外壁９を構成する外壁材２を建物に対して釘やビスなどの固定具１６ａで最小限に固定した例であり、輸送振動などによって連結外壁９が横ズレを起こすことも考えられる。
【００７９】
（効果２）外壁取付金具４の金具本体を、当接面１１と外壁保持部１２と連結部１３と係止部１４とを有するものとしても良い。そして、外壁保持部１２で外壁材２の背面を当接保持し、係止部１４で外壁材２の上縁部または下縁部に金具本体を係止した状態で、連結部１３によって外壁保持部１２と連結された当接面１１を建物に当接することで、外壁取付金具４が取付けられた連結外壁９を建物の面（下地材７の表面）に沿って設置することができる。
【００８０】
この外壁取付金具４の金具本体は、一般的な構造を備えて取扱いの容易なものとすることができるので、このような金具本体に規制部２５および固定部２６を設けて外壁取付金具４とすることで、外壁取付金具４の取付の作業性を低下することなく、外壁取付金具４に固定機能や位置規制機能を持たせることができる。
【００８１】
また、固定部２６や規制部２５を金具本体に追加した外壁取付金具４は、使用するビスなどの固定具や固定方法を既存のものと同じにできるので、特別な固定具を用いたり、特別な固定方法を行ったりする必要がない。
【００８２】
更に、固定部２６は、外壁材２を傷付けることなく建物から取り外すことも可能である。また、固定部２６は、外壁材２や建物を傷付けることなく外壁取付金具４の金具本体から取り外す（分離する）ことが可能である。
【００８３】
そして、規制部２５および固定部２６を、通気隙間Ｓを確保可能な長さの通気隙間Ｓ形成部（連結部１３）を有する金具本体に取付けることにより、外壁取付金具４に、位置規制機能と、通気機能との両方を備えさせることができる。
【００８４】
（効果３）規制部２５を、外壁材２の段差部４２の段差面４２ａまでの高さ４５と同じかそれよりも短い突出量４６にしても良い。これにより、輸送振動などによって連結外壁９が横ズレしてしまった場合に、連結外壁９の側面２２の表面側の部分を切削して横ズレの影響が外部から分からなくなるように修正することができるようになり、比較的簡単に外観品質の向上を図ることができる。
【００８５】
なお、外壁材２が横ズレした場合、これまでは、図１３に示すように、外壁材２をゴムハンマーなどで叩いて横ズレを微調整する手段しか存在しておらず、手間がかかっていた。しかし、規制部２５および固定部２６を有する外壁取付金具４を用いて連結外壁９を取付けることにより、上記したような外壁材２をゴムハンマーなどで叩くようにする横ズレの微調整が基本的に不要になると共に、必要な場合には、連結外壁９をゴムハンマーなどで叩くようにする横ズレの微調整を行うことと、連結外壁９の側面２２の表面側の部分を切削する修正との両方が可能となり、外観品質を向上するための修正手段を増やすことができる。
【００８６】
（効果４）規制部２５を、金具本体における、外壁材２の上端部の側面２２を係止可能な位置のみにかかるように設けても良い。これにより、規制部２５と、規制部２５によって位置規制されない上段側の外壁材２の下端部との干渉が防止されるので、連結外壁９を構成する際に、規制部２５が上段の外壁材２の下端部を傷付けるのを防止することができる。
【００８７】
また、規制部２５は、上段の外壁材２の下端部を規制しないので、連結外壁９を構成する際に、上段の外壁材２の位置調整を行うことが可能となる。
【００８８】
（効果５）固定部２６は、その少なくとも１つの角部３５を角取りしても良い（角取部３６）。この角取りを行うことによって、固定部２６から尖った角部３５が無くなったり少なくなったりするので、作業の安全性を向上すると共に、角部３５によって外壁材２や建物の取付面などを不用意に傷付けてしまうことを防止できる。
【００８９】
（効果６）固定部２６を平面視Ｌ字状をした部材２１で構成して、金具本体に一体に取付けるようにした。そして、固定部２６を、建物に対し外壁材２の側面２２の位置で外壁材２と面直な方向へ固定できるようにした。
【００９０】
これにより、外壁材２の側面２２から出ている固定部２６を建物に固定することで連結外壁９を建物に設置することが可能となる。よって、外壁材２の背面側に隠れる金具本体を直接建物へ固定する必要をなくすことができる。この際、固定部２６を外壁材２の側面２２の位置で外壁材２と面直な方向から建物に固定することで連結外壁９の取付作業の容易化および確実化を図ることができる。また、固定部２６を金具本体とは別の部材によって構成することで、金具本体には既存のものを利用することができるようになるので、固定部２６を有する外壁取付金具４を容易且つ安価に得ることができる。
【００９１】
（効果７）この実施例の外壁取付構造は、上記した外壁取付構造と同様の効果を得ることができる。
【００９２】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００９３】
１      建物ユニット（建物）
２      外壁材
４      外壁取付金具
８      連結部材
９      連結外壁
１１    当接面
１２    外壁保持部
１３    連結部
１４    係止部
２１    平面視Ｌ字状をした部材（アングル材）
２２    側面
２５    規制部
２６    固定部
３５    角部
４２    段差部
４２ａ  段差面
４５    高さ
４６    突出量
【図１】
2018119265.tif 000003
【図２】
2018119265.tif 000004
【図３Ａ】
2018119265.tif 000005
【図３Ｂ】
2018119265.tif 000006
【図３Ｃ】
2018119265.tif 000007
【図４】
2018119265.tif 000008
【図５】
2018119265.tif 000009
【図６Ａ】
2018119265.tif 000010
【図６Ｂ】
2018119265.tif 000011
【図６Ｃ】
2018119265.tif 000012
【図７】
2018119265.tif 000013
【図８】
2018119265.tif 000014
【図９】
2018119265.tif 000015
【図１０】
2018119265.tif 000016
【図１１Ａ】
2018119265.tif 000017
【図１１Ｂ】
2018119265.tif 000018
【図１１Ｃ】
2018119265.tif 000019
【図１２】
2018119265.tif 000020
【図１３】
2018119265.tif 000021